(57)【要約】【課題】良好なグリルの提供。【解決手段】グリル庫１１内に被調理物を載置させる焼き網１７が設けられ、グリル庫１１の扉部１９の開閉状態を検出する開閉状態検出手段２０，２１と、加熱量を調節自在な被調理物加熱用の加熱手段３と、加熱手段３の運転を制御する制御手段とが設けられ、加熱手段の加熱量を指令する加熱量指令手段が設けられ、制御手段は、加熱手段の運転中に、加熱量指令手段による指令情報に基づいて、加熱手段の加熱量を調節するとともに、開閉状態検出手段２０，２１にて開状態を検出すると、加熱手段の加熱量をそのときの加熱量よりも減少側の加熱量に調節する加熱量抑制作動を実行するように構成されている。【選択図】　　　　図３
2004113697.tif 000002
【特許請求の範囲】
【請求項１】
グリル庫内に被調理物を載置させる焼き網が設けられ、前記グリル庫の扉部の開閉状態を検出する開閉状態検出手段と、加熱量を調節自在な被調理物加熱用の加熱手段と、前記加熱手段の運転を制御する制御手段とが設けられているグリルであって、
前記加熱手段の加熱量を指令する加熱量指令手段が設けられ、
前記制御手段は、前記加熱手段の運転中に、前記加熱量指令手段による指令情報に基づいて、前記加熱手段の加熱量を調節するとともに、前記開閉状態検出手段にて開状態を検出すると、前記加熱手段の加熱量をそのときの加熱量よりも減少側の加熱量に調節する加熱量抑制作動を実行するように構成されているグリル。
【請求項２】
前記制御手段は、前記加熱量抑制作動実行中に、前記開閉状態検出手段にて開状態を検出する状態が設定時間以上継続すると、前記加熱手段の運転を停止させるように構成されている請求項１に記載のグリル。
【請求項３】
前記制御手段は、前記加熱量抑制作動実行中に、前記開閉状態検出手段にて閉状態を検出すると、前記加熱手段の加熱量を、前記加熱量抑制作動実行前の加熱量に調節するように構成されている請求項１または２に記載のグリル。
【請求項４】
前記制御手段は、前記加熱量抑制作動実行中に、前記開閉状態検出手段にて閉状態を検出すると、前記加熱手段の加熱量を、前記加熱量抑制作動実行前の加熱量よりも増大側の加熱量に調節する加熱量増大作動を実行したのち、前記加熱量抑制作動実行前の加熱量に調節するように構成されている請求項１または２に記載のグリル。
【請求項５】
前記制御手段は、前記加熱量増大作動において、前記加熱手段の加熱量を多量用設定量に調節する状態を設定時間維持するように構成されている請求項４に記載のグリル。
【請求項６】
前記グリル庫内の温度を検出するグリル庫内温度検出手段が設けられ、
前記制御手段は、前記加熱量増大作動において、前記グリル庫内温度検出手段による検出温度が多量用設定温度となるように前記加熱手段の加熱量を調節する状態を設定時間維持するように構成されている請求項４に記載のグリル
【請求項７】
グリル庫内に被調理物を載置させる焼き網が設けられ、前記グリル庫の扉部の開閉状態を検出する開閉状態検出手段と、加熱量を調節自在な被調理物加熱用の加熱手段と、前記加熱手段の運転を制御する制御手段とが設けられているグリルであって、
前記制御手段は、前記開閉状態検出手段にて半開き状態を検出している状態で前記加熱手段の運転を開始するときには、予熱用運転であると判別するように構成されているグリル。
【請求項８】
前記制御手段は、前記予熱用運転の開始から前記加熱手段の運転時間が予熱用設定時間になると、予熱用運転の終了を報知するように構成されている請求項７に記載のグリル。
【請求項９】
前記加熱手段の加熱量を指令する加熱量指令手段が設けられ、
前記制御手段は、前記予熱用運転終了後に、前記開閉状態検出手段にて半開き状態が検出された状態のままでかつ前記加熱量指令手段にて加熱量の変更が指令されない変更操作無し状態が消し忘れ用設定時間継続すると、前記加熱手段の運転を停止させるように構成されている請求項７または８に記載のグリル。
【請求項１０】
グリル庫内に被調理物を載置させる焼き網が設けられ、前記グリル庫の扉部の開閉状態を検出する開閉状態検出手段と、加熱量を調節自在な被調理物加熱用の加熱手段と、前記加熱手段の運転を制御する制御手段とが設けられているグリルであって、
前記開閉状態検出手段は、前記グリル庫内において、前記扉部の開閉状態に応じて温度変化を生じる部位に配設された温度センサにて構成されているグリル。
【請求項１１】
前記開閉状態検出手段は、前記グリル庫内において、前記扉部の開閉状態に応じて温度変化を生じる部位として、前記扉部の開閉度合いに応じて異なる温度変化を生じる部位に配設された複数の温度センサにて構成されている請求項１０に記載のグリル。
【請求項１２】
前記開閉状態検出手段は、前記温度センサによる検出温度の温度変化量に基づいて、前記扉部の開閉状態を検出するように構成されている請求項１０または１１に記載のグリル。
【請求項１３】
前記加熱手段は、バーナにて構成され、前記温度センサが、前記グリル庫内において、前記バーナの燃焼排ガスを機外に排気する排気路中の雰囲気温度を検出可能な部位に配設されている請求項１０〜１２のいずれか１項に記載のグリル。
【請求項１４】
前記グリル庫内には、前記焼き網の下方に汁受皿が設けられ、前記温度センサが、前記グリル庫内において、前記汁受皿の温度を検出可能な部位に配設されている請求項１０〜１３のいずれか１項に記載のグリル。
【発明の詳細な説明】
【０００１】
【発明の属する技術分野】
本発明は、グリル庫内に被調理物を載置させる焼き網が設けられ、前記グリル庫の扉部の開閉状態を検出する開閉状態検出手段と、加熱量を調節自在な被調理物加熱用の加熱手段と、前記加熱手段の運転を制御する制御手段とが設けられているグリルに関する。
【０００２】
【従来の技術】
上記のようなグリルは、グリル庫の扉部を開いて、焼き網に魚などの被調理物を載置させ、扉部を閉じた状態で、バーナなどの加熱手段を運転させることにより、被調理物を加熱するものであり、被調理物の焼き具合を確認したり、被調理物を裏返すなどの作業を行うときには、加熱手段の運転中に、扉部を開いて、所望の作業を行ったのち扉部を閉めることにより、被調理物の加熱を再開させるようにしている。
【０００３】
そして、従来では、扉部の開閉状態を検出する開閉状態検出手段が、扉部が開状態か閉状態かによってＯＮ／ＯＦＦするマイクロスイッチにて構成され、制御手段は、開閉状態検出手段にて閉状態を検出した状態で、加熱手段の運転開始が指令されると、加熱手段の運転を開始させ、加熱手段の運転中に、開閉状態検出手段にて開状態を検出すると、加熱手段の運転を一定時間継続させたのち、加熱手段の運転を停止させるようにしていた。
説明を加えると、制御手段は、加熱手段の運転中に、扉が開かれると、加熱手段の運転を一定時間継続させて、被調理物の焼き具合を確認したり、被調理物を裏返すなどの作業を行うようにしている（例えば、特許文献１参照。）。
【０００４】
【特許文献１】
特開２００１−２０８３５８号公報
【０００５】
【発明が解決しようとする課題】
しかしながら、上記従来のグリルでは、加熱手段の運転中に、開閉状態検出手段にて開状態を検出すると、単純に、加熱手段の運転を一定時間継続させるようにしているので、被調理物の焼き具合を確認したり、被調理物を裏返すなどの作業を行うために扉部が開かれているにもかかわらず、被調理物を加熱するような大きな加熱量にて加熱手段を運転させることとなり、エネルギー消費量が増大するという欠点があるとともに、所望の作業を行う環境としては、加熱手段の加熱量が大きくて好ましいものではなかった。
また、上記従来のグリルでは、開閉状態検出手段が、扉部が開状態か閉状態かによってＯＮ／ＯＦＦするマイクロスイッチにて構成されているので、扉部の開閉状態を検出する専用のマイクロスイッチを設けなければならず、部品点数が増加して、構成の複雑化を招くという欠点もあった。
【０００６】
本発明は、かかる点に着目してなされたものであり、その目的は、上述のような欠点を解消することが可能となる良好なグリルを提供する点にある。
【０００７】
【課題を解決するための手段】
この目的を達成するために、請求項１に記載の発明によれば、グリル庫内に被調理物を載置させる焼き網が設けられ、前記グリル庫の扉部の開閉状態を検出する開閉状態検出手段と、加熱量を調節自在な被調理物加熱用の加熱手段と、前記加熱手段の運転を制御する制御手段とが設けられているグリルにおいて、
前記加熱手段の加熱量を指令する加熱量指令手段が設けられ、
前記制御手段は、前記加熱手段の運転中に、前記加熱量指令手段による指令情報に基づいて、前記加熱手段の加熱量を調節するとともに、前記開閉状態検出手段にて開状態を検出すると、前記加熱手段の加熱量をそのときの加熱量よりも減少側の加熱量に調節する加熱量抑制作動を実行するように構成されている。
【０００８】
すなわち、制御手段は、加熱手段の運転中に、開閉状態検出手段にて開状態を検出すると、加熱量抑制作動を実行するので、加熱手段の運転中に、被調理物の焼き具合を確認したり、被調理物を裏返すなどの作業を行うために、扉部を開くと、加熱手段の加熱量を絞った状態で、加熱手段を運転させることになる。
したがって、被調理物の焼き具合を確認したり、被調理物を裏返すなどの作業を行うために、扉部を開くだけで、加熱手段の加熱量が絞られることになるので、被調理物の焼き具合を確認したり、被調理物を裏返すなどの作業を行い易い環境を得ながら、極力エネルギー消費量を抑えることができることとなって、良好なグリルを提供できるに至った。
【０００９】
請求項２に記載の発明によれば、前記制御手段は、前記加熱量抑制作動実行中に、前記開閉状態検出手段にて開状態を検出する状態が設定時間以上継続すると、前記加熱手段の運転を停止させるように構成されている。
【００１０】
すなわち、制御手段は、加熱量抑制作動実行中に、開閉状態検出手段にて開状態を検出する状態が設定時間以上継続すると、加熱手段の運転を停止させるので、例えば、被調理物をグリル庫から取り出すために、加熱手段の運転中に扉部を開いたのち、操作忘れなどによって扉部が開かれた状態が設定時間以上継続すると、加熱手段の運転を自動的に停止させることができることになる。
したがって、使用者の操作忘れなどによって扉部が開かれたままとなっても、加熱手段の運転を自動的に停止させることができるので、使用者に安心感を与えることができることになる。
【００１１】
請求項３に記載の発明によれば、前記制御手段は、前記加熱量抑制作動実行中に、前記開閉状態検出手段にて閉状態を検出すると、前記加熱手段の加熱量を、前記加熱量抑制作動実行前の加熱量に調節するように構成されている。
【００１２】
すなわち、制御手段は、加熱量抑制作動実行中に、開閉状態検出手段にて閉状態を検出すると、加熱手段の加熱量を、加熱量抑制作動実行前の加熱量に調節するので、被調理物の焼き具合を確認したり、被調理物を裏返すなどの作業を行うために扉部を開くと、加熱手段の加熱量を絞り、所望の作業を行ったのち扉部を閉じると、加熱手段の加熱量をもとの加熱量に復帰させて、被調理物の加熱を再開させることができることになる。
したがって、被調理物の焼き具合を確認したり、被調理物を裏返すなどの作業を行うときには、扉部の開閉操作を行うだけで、被調理物の焼き具合を確認したり、被調理物を裏返すなどの作業を行い易い環境を得ながら、極力エネルギー消費量を抑えて、被調理物の加熱を行うことができることとなって、より良好なものとなる。
【００１３】
請求項４に記載の発明によれば、前記制御手段は、前記加熱量抑制作動実行中に、前記開閉状態検出手段にて閉状態を検出すると、前記加熱手段の加熱量を、前記加熱量抑制作動実行前の加熱量よりも増大側の加熱量に調節する加熱量増大作動を実行したのち、前記加熱量抑制作動実行前の加熱量に調節するように構成されている。
【００１４】
すなわち、制御手段は、加熱量抑制作動実行中に、開閉状態検出手段にて閉状態を検出すると、加熱量増大作動を実行したのち、加熱手段の加熱量を加熱量抑制作動実行前の加熱量に調節するので、被調理物の焼き具合を確認したり、被調理物を裏返すなどの作業を行うために扉を開くと、加熱手段の加熱量を絞り、所望の作業を行ったのち扉部を閉じると、加熱量増大作動を実行したのち、加熱手段の加熱量をもとの加熱量に復帰させて、被調理物の加熱を再開させることができることになる。
したがって、被調理物の焼き具合を確認したり、被調理物を裏返すなどの作業を行うときには、被調理物の焼き具合を確認したり、被調理物を裏返すなどの作業を行い易い環境を得ながら、極力エネルギー消費量を抑えて、被調理物の加熱を行うことができることとなって、より良好なものとなる。
しかも、所望の作業を行ったのち扉部を閉じると、単純に、加熱手段の加熱量をもとの加熱量に復帰させるのではなく、加熱量増大作動を実行したのち、加熱手段の加熱量をもとの加熱量に復帰させるので、扉部を開くことによって低下したグリル庫内の温度をいち早く上昇させて、被調理物の加熱を再開させることができ、被調理物の加熱時間を短縮させることができることになる。
【００１５】
請求項５に記載の発明によれば、前記制御手段は、前記加熱量増大作動において、前記加熱手段の加熱量を多量用設定量に調節する状態を設定時間維持するように構成されている。
【００１６】
すなわち、制御手段は、加熱量増大作動において、加熱手段の加熱量を多量用設定量に調節する状態を設定時間維持するので、加熱手段の加熱量を設定された多量用設定量に調節するという容易な制御構成によって、扉部を開くことによって低下したグリル庫内の温度を上昇させることができることになる。
したがって、容易な制御構成により加熱量増大作動を行うことができることとなって、制御構成の簡素化を図ることができることになる。
【００１７】
請求項６に記載の発明によれば、前記グリル庫内の温度を検出するグリル庫内温度検出手段が設けられ、
前記制御手段は、前記加熱量増大作動において、前記グリル庫内温度検出手段による検出温度が多量用設定温度となるように前記加熱手段の加熱量を調節する状態を設定時間維持するように構成されている。
【００１８】
すなわち、制御手段は、加熱量増大作動において、グリル庫内温度検出手段による検出温度が多量用設定温度となるように加熱手段の加熱量を調節する状態を設定時間維持するので、グリル庫内の温度情報に基づいて、扉部を開くことによって低下したグリル庫内の温度を的確に上昇させることができることになる。
したがって、扉部を開くことによって低下したグリル庫内の温度を的確に上昇させて、被調理物の加熱を再開させることができ、被調理物の加熱時間をより的確に短縮させることができることになる。
【００１９】
請求項７に記載の発明によれば、グリル庫内に被調理物を載置させる焼き網が設けられ、前記グリル庫の扉部の開閉状態を検出する開閉状態検出手段と、加熱量を調節自在な被調理物加熱用の加熱手段と、前記加熱手段の運転を制御する制御手段とが設けられているグリルにおいて、
前記制御手段は、前記開閉状態検出手段にて半開き状態を検出している状態で前記加熱手段の運転を開始するときには、予熱用運転であると判別するように構成されている。
【００２０】
すなわち、制御手段は、開閉状態検出手段にて半開き状態を検出している状態で加熱手段の運転を開始するときには、その加熱手段の運転を予熱用運転であると判別するので、その判別結果に基づいて、予熱用運転に適した加熱量になるように加熱手段の加熱量に調節するなどの制御を行うことにより、グリル庫の予熱を行うことができることになる。
したがって、単に、被調理物を加熱させるだけでなく、グリル庫の予熱を行うこともできるので、使い勝手がよくなり、良好なグリルを提供できるに至った。
【００２１】
請求項８に記載の発明によれば、前記制御手段は、前記予熱用運転の開始から前記加熱手段の運転時間が予熱用設定時間になると、予熱用運転の終了を報知するように構成されている。
【００２２】
すなわち、制御手段は、開閉状態検出手段にて半開き状態を検出している状態で加熱手段の運転を開始してから予熱用設定時間が経過すると、予熱用運転の終了を報知するので、グリル庫の予熱が完了したことを使用者が容易に確認することができることになる。
したがって、グリル庫の予熱の完了により、その後の操作などを的確に行うことができ、より使い勝手のよいものとなる。
【００２３】
請求項９に記載の発明によれば、前記加熱手段の加熱量を指令する加熱量指令手段が設けられ、
前記制御手段は、前記予熱用運転終了後に、前記開閉状態検出手段にて半開き状態が検出された状態のままでかつ前記加熱量指令手段にて加熱量の変更が指令されない変更操作無し状態が消し忘れ用設定時間継続すると、前記加熱手段の運転を停止させるように構成されている。
【００２４】
すなわち、制御手段は、予熱用運転終了後に、変更操作無し状態が消し忘れ用設定時間継続すると、加熱手段の運転を停止させるので、予熱用運転終了後に、使用者の操作忘れなどによって加熱手段の運転が消し忘れ用設定時間継続すると、加熱手段の運転を自動的に停止させることができることになる。
したがって、予熱用運転終了後に、使用者の操作忘れなどによって加熱手段の運転が継続しても、その加熱手段の運転を自動的に停止させることができることとなって、使用者に安心感を与えることができることになる。
【００２５】
請求項１０に記載の発明によれば、グリル庫内に被調理物を載置させる焼き網が設けられ、前記グリル庫の扉部の開閉状態を検出する開閉状態検出手段と、加熱量を調節自在な被調理物加熱用の加熱手段と、前記加熱手段の運転を制御する制御手段とが設けられているグリルにおいて、
前記開閉状態検出手段は、前記グリル庫内において、前記扉部の開閉状態に応じて温度変化を生じる部位に配設された温度センサにて構成されている。
【００２６】
すなわち、温度センサの検出温度は、例えば、閉状態のときには高くなり、開状態のときには低くなるなど、扉部の開閉状態に応じて変化するので、その温度センサの温度変化を検出することにより、扉部の開閉状態を検出することができることになり、しかも、その温度センサにてグリル庫内の温度をも検出することができることになる。
したがって、温度センサにて、開閉状態検出手段としてのセンサとグリル庫内の温度情報を検出するセンサを兼用することができるので、構成の簡素化を図りながら、扉部の開閉状態を検出することができることとなって、良好なグリルを提供できるに至った。
【００２７】
ちなみに、温度センサにて、グリル庫内の温度情報を検出することにより、その温度情報に基づいて、加熱手段の加熱量を調節したり、加熱手段の運転を停止させるなどの処理を行うことができることになる。
【００２８】
請求項１１に記載の発明によれば、前記開閉状態検出手段は、前記グリル庫内において、前記扉部の開閉状態に応じて温度変化を生じる部位として、前記扉部の開閉度合いに応じて異なる温度変化を生じる部位に配設された複数の温度センサにて構成されている。
【００２９】
すなわち、複数の温度センサの検出温度の温度差が、例えば、扉部の開閉度合いが閉状態に近づくほど大きくなるなど、扉部の開閉度合いに応じて複数の温度センサの検出温度の変化量が異なるので、その異なる温度変化を検出することにより、扉部の開状態および閉状態だけでなく、扉部の開閉度合いをも検出することができることになる。
したがって、扉の開閉状態を細かく検出することができ、その検出情報に基づいてより細かな制御を行うことが可能となって、使い勝手のよいものとなる。
【００３０】
請求項１２に記載の発明によれば、前記開閉状態検出手段は、前記温度センサによる検出温度の温度変化量に基づいて、前記扉部の開閉状態を検出するように構成されている。
【００３１】
すなわち、開閉状態検出手段は、温度センサによる検出温度の温度変化量によって、扉部の開閉状態を検出するので、実際に扉の開閉操作により変化した温度センサの検出温度の温度変化量によって、扉部の開閉状態を検出することができることとなって、扉部の開閉状態を正確に検出することができることになる。
したがって、正確な扉部の開閉状態の検出に基づいて、加熱手段の運転を的確に行うことができることとなって、機器の信頼性を向上させることができることになる。
【００３２】
請求項１３に記載の発明によれば、前記加熱手段は、バーナにて構成され、前記温度センサが、前記グリル庫内において、前記バーナの燃焼排ガスを機外に排気する排気路中の雰囲気温度を検出可能な部位に配設されている。
【００３３】
すなわち、バーナによる過熱状態によって、排気路中の雰囲気温度が異常高温となると、バーナの燃焼を停止させる必要があるので、グリルにおいては、排気路中の雰囲気温度を検出することが求められる。
そして、温度センサによって、扉部の開閉状態を検出するとともに、排気路中の雰囲気温度を検出するので、温度センサにて、グリルにおいて必要となる二つの温度情報を得ることができ、グリルに的確に対応する状態で、構成の簡素化を図ることができることになる。
【００３４】
請求項１４に記載の発明によれば、前記グリル庫内には、前記焼き網の下方に汁受皿が設けられ、前記温度センサが、前記グリル庫内において、前記汁受皿の温度を検出可能な部位に配設されている。
【００３５】
すなわち、被調理物から落下する油などが汁受皿に受け止められ、その油の発火を防止するために、汁受皿の温度が高温となると、加熱手段の運転を停止させる必要があるので、グリルにおいては、汁受皿の温度を検出することが求められる。
そして、温度センサによって、扉部の開閉状態を検出するとともに、汁受皿の温度を検出するので、温度センサにて、グリルにおいて必要となる二つの温度情報を得ることができ、グリルに的確に対応する状態で、構成の簡素化を図ることができることになる。
【００３６】
【発明の実施の形態】
本発明にかかるグリルをガスコンロに適応した例について図面に基づいて説明する。
〔第１実施形態〕
このガスコンロは、図１および図２に示すように、２つのコンロバーナ１を備えたコンロ部２、および、そのコンロ部２の下方側の内部に配置されたグリルバーナ３を備えたグリル部４を備えたコンロ本体５からなるテーブル式ガスコンロにて構成されている。
そして、コンロ本体５の後方側箇所には、グリル部４における加熱手段としてのグリルバーナ３の燃焼排ガスを排気するためのグリル排気口６が形成され、各コンロ部２の周囲は、トッププレート７にてガスコンロ上面が覆われており、このトッププレート７の上部に、各コンロ部２に対する被加熱物（鍋など）を受け止め支持するための五徳８が載置支持されている。
【００３７】
また、ガスコンロ前側面には、コンロバーナ１やグリルバーナ３の点火、消火や、火力調節などの各種の運転状態を指令する操作部Ｓが設けられ、制御部Ｈが、その操作部Ｓにて指令された運転状態に基づいて、コンロバーナ１およびグリルバーナ３を制御するように構成されている。
そして、操作部Ｓは、大バーナ用操作部Ｓ１、グリルバーナ用操作部Ｓ３、および、並バーナ用操作部Ｓ２を備えて構成されている。
【００３８】
前記コンロバーナ１は、図１において、コンロ本体５の左側に位置する大バーナ１ａと右側に位置する並バーナ１ｂとから構成され、並バーナ１ｂ（図２中一番上のバーナ）には、五徳８にて載置支持された被加熱物の底面部に接触して、被加熱物の温度を検出する温度センサＲが設けられている。
そして、２つのコンロバーナ１の夫々には、点火用の点火プラグ９、および、コンロバーナ１の立ち消えなどの燃焼状態を検出する熱電対１０が設けられている。
また、グリルバーナ３として、上面バーナ３ａと下面バーナ３ｂとを備えて、グリル部４が両面焼きグリルにて構成され、上面バーナ３ａおよび下面バーナ３ｂの夫々にも、点火用の点火プラグ９、および、グリルバーナ３の立ち消えなどの燃焼状態を検出する熱電対１０が設けられている。
【００３９】
前記２つのコンロバーナ１およびグリルバーナ３へのガス供給路１２は、図２に示すように、大バーナ用分岐路１２ａ、並バーナ用分岐路１２ｂ、グリルバーナ用分岐路１２ｃの３系統に分岐して接続され、グリルバーナ３へのグリルバーナ用分岐路１２ｃは、さらに、上面バーナ３ａと下面バーナ３ｂの夫々に分岐接続されている。
【００４０】
そして、大バーナ用分岐路１２ａ、並バーナ用分岐路１２ｂ、および、グリルバーナ用分岐路１２ｃの夫々には、モータコック１３、および、そのモータコック１３の開度位置を検出する位置センサ１４が設けられている。
また、グリルバーナ用分岐路１２ｃにおける上面バーナ３ａと下面バーナ３ｂへの分岐箇所よりも上流側にガバナ１５が設けられ、ガス供給路１２における大バーナ用分岐路１２ａ、並バーナ用分岐路１２ｂ、グリルバーナ用分岐路１２ｃへの分岐箇所よりも上流側に元電磁弁１６が設けられている。
【００４１】
前記グリル部４は、グリル部４の縦断側面図である図３に示すように、前面部が開口されかつ後面部が閉塞された箱状に形成されたグリル庫１１内に、魚などの被調理物を載置させる焼き網１７を設けて、その被調理物をグリルバーナ３にて加熱するように構成されている。
前記グリル庫１１の後方側には、グリルバーナ３の燃焼排ガスを機外に排気させる排気路２２が上方側に延びる状態で配設され、その排気路２２にてグリルバーナ３の燃焼排ガスをグリル排気口６に導くように構成されている。
ちなみに、グリルバーナ３の二次空気は、グリル庫１１の底面部や前面部から取り入れるようにして、この二次空気の流動により、後述する汁受皿１８を冷却させるように構成されている。
【００４２】
そして、焼き網１７の下方には、魚などの被調理物からの油などを受け止める汁受皿１８が設けられ、汁受皿１８は、図示はしないが、グリル庫１１の側壁部に設けられたガイドの案内により、焼き網１７を載置した状態で、グリル庫１１に対して、収納移動可能でかつ取り出し移動可能に構成されている。
また、汁受皿１８の前面部には、汁受皿１８をグリル庫１１内に収納したときに、グリル庫１１の前面部を閉塞する把手付きの扉部１９が設けられている。
そして、使用者は、把手にて扉部１９を開閉させることにより、汁受皿１８と焼き網１７を一体的に、グリル庫１１に対して収納移動および取り出し移動させるように構成されている。
【００４３】
前記グリル庫１１内には、二つの温度センサ２０，２１が設けられ、それら二つの温度センサ２０，２１は、グリル庫１１内において、扉部１９の開閉状態に応じて温度変化を生じる部位でかつ扉部の開閉度合いに応じて異なる温度変化を生じる部位に配設されて開閉状態検出手段として構成されている。
説明を加えると、二つの温度センサは、排気路２２中の雰囲気温度を検出可能な部位に配設された排ガス温度センサ２０と、汁受皿１８の温度を検出可能な部位に配設された汁受皿温度センサ２１とからなり、それら二つの温度センサの検出温度の温度変化量に基づいて、扉部１９の開閉状態を検出するように構成されている。
そして、排ガス温度センサ２０にて、扉部１９の開閉状態を検出するための温度情報を得るためのセンサと、排気路２２中の温度情報を得るためのセンサとを兼用し、汁受皿温度センサ２１にて、扉部１９の開閉状態を検出するための温度情報を得るためのセンサと、汁受皿１８の温度情報を得るためのセンサとを兼用するように構成されている。
【００４４】
前記制御部Ｈは、マイクロコンピュータを備えて構成され、大バーナ用操作部Ｓ１、グリルバーナ用操作部Ｓ３、および、並バーナ用操作部Ｓ２による指令に基づいて、コンロバーナ１およびグリルバーナ３を点火させる点火作動および消火させる消火作動を実行し、各バーナの燃焼中に火力調節する火力調節作動を実行するように構成されている。
【００４５】
以下、グリルバーナ３における制御部Ｈの動作について説明を加える。
前記点火作動は、グリルバーナ用操作部Ｓ３にて点火が指令されると、元電磁弁１６を開弁するとともに、位置センサ１４の検出情報に基づいて、モータコック１３を点火用ガス量にセットし、点火プラグ９を作動させて、熱電対１０にて着火を確認するように構成されている。
ちなみに、点火プラグ９を作動させてから着火確認時間が経過しても、熱電対１０により着火を確認できないときには、点火エラーとしている。
【００４６】
そして、消火作動は、グリルバーナ用操作部Ｓ３にて消火が指令されると、元電磁弁１６およびモータコック１３を閉弁させて、グリルバーナ３の燃焼を停止させるように構成されている。
また、火力調節作動は、グリルバーナ３の燃焼中に、グリルバーナ用操作部Ｓ３にて指令された火力になるように、位置センサ１４の検出情報に基づいて、モータコック１３を調整して、上面バーナ３ａおよび下面バーナ３ｂの火力を調節するように構成されている。
ちなみに、グリルバーナ用操作部Ｓ３にて、上面バーナ３ａのみ燃焼させたり、下面バーナ３ｂのみ燃焼させたり、燃焼状態の切替も指令可能であるので、その指令された燃焼状態にてグリルバーナ３を燃焼させるようにしている。
【００４７】
また、制御部Ｈは、排ガス温度センサ２０の検出温度と汁受皿温度センサ２１の検出温度とを監視し、それらの温度情報に基づいて、グリルバーナ３の燃焼を開始するときの扉部１９の開閉状態を判別する開始用開閉状態判別処理を実行するように構成されている。
すなわち、制御部Ｈは、開始用開閉状態判別処理において、排ガス温度センサ２０の検出温度と汁受皿温度センサ２１の検出温度とを比較することによって、全開状態と半開き状態と全閉状態の３つの開閉状態を判別するように構成されている。
【００４８】
扉部１９の開閉状態が、全開状態であるか、半開き状態であるか、全閉状態であるかの判別について、扉部１９の開閉状態を示す図４、および、各開閉状態について、グリルバーナ３の燃焼を開始させてから、排ガス温度センサ２０の検出温度と汁受皿温度センサ２１の検出温度の時間変化を示す図５のグラフに基づいて説明を加える。
ちなみに、図４の（イ）および図５の（イ）は、全閉状態を示し、図４の（ロ）および図５の（ロ）は、半開き状態を示し、図４の（ハ）および図５の（ハ）は、全開状態を示している。
そして、扉部１９をグリル庫１１の前面部から、例えば、６ｃｍ以上開いた状態を全開状態とし、扉部１９をグリル庫１１の前面部から、例えば、２ｃｍ開いた状態を半開き状態としている。
この場合、把手にて扉部１９を開き、汁受皿１８と焼き網１７を一体的にグリル庫１１から取り出した状態も、全開状態として扱う。
【００４９】
図４の（イ）に示すように、扉部１９が全閉状態のときには、図５の（イ）に示すように、グリルバーナ３の燃焼を開始してから、例えば、２分後には、排ガス温度センサ２０の検出温度Ｔ１から汁受皿温度センサ２１の検出温度Ｔ２を引いた温度差（Ｔ１−Ｔ２）は、３０ｄｅｇ程度となるので、グリルバーナ３の燃焼を開始してから判別用設定時間（例えば、２分）後の温度差（Ｔ１−Ｔ２）が１５ｄｅｇ以上となると、全閉状態と判別するようにしている。
【００５０】
図４の（ロ）に示すように、扉部１９が半開き状態のときには、図５の（ロ）に示すように、グリルバーナ３の燃焼を開始してから、例えば、２分後には、排ガス温度センサ２０の検出温度Ｔ１から汁受皿温度センサ２１の検出温度Ｔ２を引いた温度差（Ｔ１−Ｔ２）は、１０ｄｅｇ程度となるので、グリルバーナ３の燃焼を開始してから判別用設定時間（例えば、２分）後の温度差（Ｔ１−Ｔ２）が０以上でかつ１５ｄｅｇ未満であると、半開き状態と判別するようにしている。
【００５１】
図４の（ハ）に示すように、扉部１９が全開状態のときには、図５の（ハ）に示すように、グリルバーナ３の燃焼を開始してから、例えば、２分後には、排ガス温度センサ２０の検出温度Ｔ１よりも汁受皿温度センサ２１の検出温度Ｔ２の方が高くなり、排ガス温度センサ２０の検出温度Ｔ１から汁受皿温度センサ２１の検出温度Ｔ２を引いた温度差（Ｔ１−Ｔ２）は、負の値になるので、グリルバーナ３の燃焼を開始してから判別用設定時間（例えば、２分）後の温度差（Ｔ１−Ｔ２）が０未満であると、全開状態と判別するようにしている。
【００５２】
そして、制御部Ｈは、開始用開閉状態判別処理により半開き状態と判別している状態でグリルバーナ３の燃焼を開始するときには、予熱用運転であると判別し、その予熱用運転の開始からグリルバーナ３の燃焼時間が予熱用設定時間になると、予熱用運転の終了を報知するように構成されている。
また、制御部Ｈは、予熱用運転終了後に、扉部１９の開閉操作がされずに半開き状態が検出された状態のままで、かつ、操作部Ｓにてグリルバーナ３の火力の変更が指令されない変更操作無し状態が消し忘れ用設定時間継続すると、グリルバーナ３の燃焼を停止させるように構成されている。
ちなみに、予熱用運転においては、例えば、グリルバーナ３の火力を予熱用火力に調節するなど、予熱用運転の動作を行うようにしている。
【００５３】
前記制御部Ｈは、排ガス温度センサ２０の検出温度と汁受皿温度センサ２１の検出温度とに基づいて、開始用開閉状態判別処理を実行するだけでなく、グリルバーナ３の燃焼中には、排ガス温度センサ２０の検出温度と汁受皿温度センサ２１の検出温度の温度変化量に基づいて、扉部１９が閉状態であるか、開状態であるかの判別を行う燃焼中開閉状態判別処理を実行するように構成されている。
【００５４】
説明を加えると、扉部１９が開状態から閉状態に変化したときには、図５の（イ）に示すように、グリルバーナ３の燃焼中に、排ガス温度センサ２０の検出温度Ｔ１と汁受皿温度センサ２１の検出温度Ｔ２の温度差（Ｔ１−Ｔ２）が大きくなるので、その時間微分値｛ｄ（Ｔ１−Ｔ２）／ｄｔ｝が、正の値の所定値Ｋ１以上となっていると、開状態から閉状態に変化したと判別するようにしている。また、扉部１９が閉状態から開状態に変化したときには、図５の（ロ）および（ハ）に示すように、グリルバーナ３の燃焼中に、排ガス温度センサ２０の検出温度Ｔ１と汁受皿温度センサ２１の検出温度Ｔ２の温度差（Ｔ１−Ｔ２）が小さくなるので、その時間微分値｛ｄ（Ｔ１−Ｔ２）／ｄｔ｝が、負の値の所定値Ｋ２以下となっていると、閉状態から開状態に変化した判別するようにしている。
【００５５】
ちなみに、燃焼中開閉状態判別処理において、Ｋ２＜｛ｄ（Ｔ１−Ｔ２）／ｄｔ｝＜Ｋ１となるときには、前回の燃焼中開閉状態判別処理の判別結果を維持する。
例えば、前回の燃焼中開閉状態判別処理において、開状態と判別していると、Ｋ２＜｛ｄ（Ｔ１−Ｔ２）／ｄｔ｝＜Ｋ１の間は、開状態と判別するようにしている。
【００５６】
前記制御部Ｈは、グリルバーナ３の燃焼中に、燃焼中開閉状態判別処理により閉状態から開状態に変化したと判別すると、グリルバーナ３の火力をそのときの火力よりも減少側の火力に調節する加熱量抑制作動を実行するように構成されている。
そして、制御部Ｈは、加熱量抑制作動実行中に、燃焼中開閉状態判別処理により開状態から閉状態に変化したと判別すると、グリルバーナ３の火力を、加熱量抑制作動実行前の火力よりも増大側の火力に調節する加熱量増大作動を実行したのち、加熱量抑制作動実行前の火力に調節し、かつ、加熱量抑制作動実行中に、開状態と判別している状態が停止用設定時間以上継続すると、グリルバーナ３の燃焼を停止させるように構成されている。
【００５７】
前記加熱量抑制作動は、グリルバーナ３の火力を抑制用設定火力（例えば、最小火力）に調節するように、モータコック１３の開度位置を調整するように構成され、加熱量増大作動は、グリルバーナ３の火力を増大用設定火力（例えば、最大火力）に調節する状態を増大用設定時間維持するように構成されている。
ちなみに、増大用設定時間については、一定の時間を設定したり、グリルバーナ３の燃焼中に、扉部１９が開かれていた時間が長いほど、増大用設定時間が長くなるように変更設定したり、排ガス温度センサ２０の検出温度が開状態と判別する前の温度付近に達するまでとしたりすることが可能である。
【００５８】
また、制御部Ｈは、グリルバーナ３の燃焼中に、排ガス温度センサ２０の検出温度が異常用設定温度以上となったり、あるいは、汁受皿温度センサ２１の検出温度が発火防止用設定温度以上となると、グリルバーナ３の燃焼を強制的に停止させて、過熱状態や汁受皿１８の落下油などが発火する状態となる前に、自動的にグリルバーナ３の燃焼を停止させるようにしている。
【００５９】
前記グリルバーナ３における制御部Ｈの動作について、図６および図７のフローチャートに基づいて説明を加える。
まず、グリルバーナ用操作部Ｓ３にて点火が指令されると、点火作動を実行して、グリルバーナ３の燃焼を開始し、グリルバーナ３の燃焼を開始してから判別用設定時間経過すると、開始用開閉状態判別処理を実行する（ステップ１〜４）。
そして、開始用開閉状態判別処理において半開き状態と判別すると、予熱用運転を行い、その予熱用運転の開始から予熱用設定時間が経過すると、予熱用運転の終了を報知する（ステップ５〜８）。
また、開始用開閉状態判別処理において全開状態と判別すると、グリルバーナ３の燃焼を停止する消火作動を実行して、警報ブザーを作動させるなどしてエラー報知作動を行ってエラーとしている（ステップ９〜１１）。
【００６０】
前記開始用開閉状態判別処理において全閉状態と判別すると（ステップ５，９）、グリルバーナ用操作部Ｓ３の指令状態に基づいて、火力調節作動を実行し、燃焼中開閉状態判別処理を実行する（ステップ１２，１３）。
そして、燃焼中開閉状態判別処理にて閉状態と判別しているときには、予熱用運転後であるか否かを判別して、予熱用運転後でなければ、グリルバーナ用操作部Ｓ３にて消火が指令されると、消火作動を実行する（ステップ１４〜１７）。予熱用運転後であるときには、変更操作無し状態が消し忘れ用設定時間継続していると、消火作動を実行して、警報ブザーを作動させるなどしてエラー報知作動を行ってエラーとし（ステップ１５，１８，１９，２０）、変更操作無し状態が消し忘れ用設定時間継続していなければ、グリルバーナ用操作部Ｓ３にて消火が指令されると、消火作動を実行する（ステップ１６，１７）。
【００６１】
また、燃焼中開閉状態判別処理にて閉状態から開状態に変化したと判別すると（ステップ１４）、加熱量抑制作動を実行し、その開状態と判別している状態が停止用設定時間継続していなければ、燃焼中開閉状態判別処理において閉状態と判別するまで、加熱量抑制作動を継続させる（ステップ２１〜２４）。
そして、燃焼中開閉状態判別処理において開状態と判別している状態が停止用設定時間継続すると、消火作動を実行して、警報ブザーを作動させるなどしてエラー報知作動を行ってエラーとしている（ステップ２２，２５，２６）。
また、燃焼中開閉状態判別処理にて開状態から閉状態に変化したと判別すると（ステップ２４）、加熱量増大作動を実行したのち、グリルバーナ３の火力を加熱量抑制作動実行前の火力に復帰させる（ステップ２７，２８）。
【００６２】
前記コンロバーナ１における制御部Ｈの動作について説明を加えると、グリルバーナ３と同様に、点火作動は、大バーナ用操作部Ｓ１および並バーナ用操作部Ｓ２にて点火が指令されると、元電磁弁１６を開弁するとともに、位置センサ１４の検出情報に基づいて、モータコック１３を点火用ガス量にセットし、点火プラグ９を作動させて、熱電対１０にて着火を確認するように構成されている。
ちなみに、点火プラグ９を作動させてから着火確認時間が経過しても、熱電対１０により着火を確認できないときには、点火エラーとしている。
【００６３】
そして、消火作動は、大バーナ用操作部Ｓ１および並バーナ用操作部Ｓ２にて消火が指令されると、元電磁弁１６およびモータコック１３を閉弁させて、コンロバーナ１の燃焼を停止させるように構成されている。
また、火力調節作動は、コンロバーナ１の燃焼中に、大バーナ用操作部Ｓ１および並バーナ用操作部Ｓ２にて指令された火力になるように、位置センサ１４の検出情報に基づいて、モータコック１３を調整して火力調節するように構成されている。
【００６４】
ちなみに、制御部Ｈは、詳述はしないが、並バーナ１ｂについては、並バーナ用操作部Ｓ２からの指令に基づいて、並バーナ１ｂの燃焼時間が並バーナ用操作部Ｓ２にて設定された時間になると、自動的に並バーナ１ｂの燃焼を停止させる調理タイマー運転、温度センサＲの検出温度が目標温度（１６０℃、１８０℃、２２０℃）になるように、並バーナ１ｂの火力調節する天ぷら運転や、温度センサＲの検出温度を用いて自動的に湯を沸かす湯沸し運転などの自動調理運転を行うように構成されている。
【００６５】
〔第２実施形態〕
この第２実施形態は、上記第１実施形態の加熱量抑制作動後の動作の別実施形態を示すものであり、加熱量抑制作動後の動作について説明を加える。
なお、その他の構成については、上記第１実施形態と同様であるので、同符号を記すなどにより、その詳細な説明は省略する。
【００６６】
上記第１実施形態では、制御部Ｈは、加熱量抑制作動実行中に、燃焼中開閉状態判別処理により開状態から閉状態に変化したと判別すると、加熱量増大作動を実行したのち、グリルバーナ３の火力を加熱量抑制作動実行前の火力に調節するようにしているが、この第２実施形態では、制御部Ｈは、加熱量抑制作動実行中に、燃焼中開閉状態判別処理により開状態から閉状態に変化したと判別すると、すぐに、グリルバーナ３の火力を加熱量抑制作動実行前の火力に調節するように構成されている。
【００６７】
前記制御部Ｈの加熱量抑制作動についての動作を示す図８のフローチャートに基づいて説明を加える。
ちなみに、この図８のフローチャートは、上記第１実施形態における図７のフローチャートの一部を抜き出したものであり、図７のフローチャートと同様の動作については、同じステップ番号を記すようにしている。
【００６８】
加熱量抑制作動を実行中に、燃焼中開閉状態判別処理において開状態と判別している状態が停止用設定時間継続していなければ、燃焼中開閉状態判別処理において閉状態と判別するまで、加熱量抑制作動を継続させる（ステップ２１〜２４）。
そして、燃焼中開閉状態判別処理において開状態と判別した状態が停止用設定時間継続すると、消火作動を実行して、エラーとする（ステップ２２，２５，２６）。
また、燃焼中開閉状態判別処理にて開状態から閉状態に変化したと判別すると（ステップ２４）、グリルバーナ３の火力を加熱量抑制作動実行前の火力に復帰させる（ステップ２８）。
【００６９】
〔別実施形態〕
（１）上記第１および第２実施形態では、制御部Ｈは、グリルバーナ３の燃焼中に、燃焼中開閉状態判別処理において閉状態から開状態に変化したと判別すると、加熱量抑制作動を実行する構成と、開始用開閉状態判別処理において半開き状態を検出している状態でグリルバーナ３の燃焼を開始するときには、予熱用運転であると判別する構成を採用しているが、どちらか一方の構成のみ採用して実施することも可能である。
【００７０】
（２）上記第１および第２実施形態では、開閉状態検出手段を、排ガス温度センサ２０と汁受皿温度センサ２１とから構成しているが、例えば、開閉状態検出手段を、マイクロスイッチなどの接触式センサを用いて実施することも可能であり、開閉状態検出手段として、各種センサを適応することが可能である。
【００７１】
（３）上記第１および第２実施形態では、開閉状態検出手段としての二つの温度センサ２０，２１を、扉部１９の開閉状態に応じて温度変化を生じる部位でかつ扉部の開閉度合いに応じて異なる温度変化を生じる部位に配設しているが、例えば、上記別実施形態（１）に記載の如く、制御部Ｈは、グリルバーナ３の燃焼中に、燃焼中開閉状態判別処理において閉状態から開状態に変化したと判別すると、加熱量抑制作動を実行する構成のみ採用する場合には、二つの温度センサ２０，２１とも、扉部１９の開閉状態に応じて温度変化を生じる部位に配設して実施することが可能となり、開閉状態検出手段としての温度センサの配設箇所は適宜変更が可能である。
また、温度センサの数については、扉部１９の開閉状態が検出できれば、ひとつや３つ以上など適宜変更が可能である。
【００７２】
（４）上記第１および第２実施形態では、排ガス温度センサ２０が、扉部１９の開閉状態を検出するための温度情報を得るためのセンサと、排気路２２中の温度情報を得るためのセンサとを兼用するようにしているが、開閉状態を検出するための温度情報を得るためのセンサと、排気路２２中の温度情報を得るためのセンサとを別々に設けて実施することも可能である。
また、汁受皿温度センサ２１についても、汁受皿温度センサ２１が、扉部１９の開閉状態を検出するための温度情報を得るためのセンサと、汁受皿１８の温度情報を得るためのセンサとを兼用しているが、扉部１９の開閉状態を検出するための温度情報を得るためのセンサと、汁受皿１８の温度情報を得るためのセンサとを別々に設けて実施することも可能である。
【００７３】
（５）上記第１および第２実施形態では、グリルバーナ３の燃焼中に、排ガス温度センサ２０の検出温度と汁受皿温度センサ２１の検出温度の温度変化量に基づいて、扉部１９が閉状態であるか、開状態であるかを検出するようにしているが、例えば、単純に、排ガス温度センサ２０の検出温度と汁受皿温度センサ２１の検出温度との温度差により、扉部１９が閉状態であるか、開状態であるかを検出することも可能であり、扉部１９が閉状態であるか、開状態であるかを検出するための構成は適宜変更が可能である。
【００７４】
（６）上記第１および第２実施形態では、グリル部４を、グリルバーナ３として、上面バーナ３ａと下面バーナ３ｂとを備えて、両面焼きグリルにて構成しているが、グリルバーナ３として、上面バーナ３ａのみを備えて、片面焼きグリルにて構成することも可能である。
【００７５】
（７）上記第１および第２実施形態では、加熱手段として、グリルバーナ３を適応した例を示したが、電気ヒータなど各種の加熱手段が適応可能である。
【００７６】
（８）上記第１および第２実施形態では、モータコックと位置センサにより火力調節を行う構成としているが、比例電磁弁や電磁弁など、他の要素にて構成してもよい。
また、従来からガスコンロなどで使われている器具栓などメカ式の弁とモータコックや比例電磁弁などを組み合わせて構成してもよい。
【００７７】
（９）上記第１および第２実施形態では、本発明にかかるグリルをテーブル式ガスコンロに適応した例を示したが、ビルトイン式ガスコンロにも適応することが可能であり、各種のガスコンロに適応することが可能である。
【図面の簡単な説明】
【図１】ガスコンロの斜視図
【図２】ガスコンロの概略構成図
【図３】グリル部の縦断側面図
【図４】扉部の開閉状態を示すグリル部の縦断側面図
【図５】温度センサの時間変化を示すグラフ
【図６】第１実施形態における制御部の動作を示すフローチャート
【図７】第１実施形態における制御部の動作を示すフローチャート
【図８】第２実施形態における制御部の動作を示すフローチャート
【符号の説明】
３　　　　　　　加熱手段
１１　　　　　　グリル庫
１７　　　　　　焼き網
１８　　　　　　汁受皿
１９　　　　　　扉部
２０，２１　　　開閉状態検出手段としての温度センサ
Ｈ　　　　　　　制御手段
Ｓ３　　　　　　加熱量指令手段
【図１】
2004113697.tif 000003
【図２】
2004113697.tif 000004
【図３】
2004113697.tif 000005
【図４】
2004113697.tif 000006
【図５】
2004113697.tif 000007
【図６】
2004113697.tif 000008
【図７】
2004113697.tif 000009
【図８】
2004113697.tif 000010